(57)【要約】【課題】稼動時に発生する騒音が少なく、静寂性に優れたレンジフードとする。【解決手段】フード１に取付けた送風機ボックス２の内面に、複数の孔３１を設けたあなあき板３２の背後に空気層３３をおいた共鳴器型吸音構造の吸音機構３０を取付け、稼動時に発生した音を吸音して騒音を低減できるようにしたレンジフード。【選択図】図３
2012159286.tif 000002
【特許請求の範囲】
【請求項１】
フード体３と送風機４と排気ダクト４４を備えたレンジフードにおいて、
前記フード体３の内面に、複数の孔３１を設けたあなあき板３２の背後に空気層３３をおいた共鳴器型吸音構造の吸音機構３０を取付けたことを特徴とするレンジフード。
【請求項２】
整流板１６を有したフード体３と送風機４と排気ダクト４４を備えたレンジフードにおいて、
前記整流板１６の内面に、複数の孔３１を設けたあなあき板３２の背後に空気層３３をおいた共鳴器型吸音構造の吸音機構３０を取付けたことを特徴とするレンジフード。
【請求項３】
フード体３と送風機４と排気ダクト４４と幕板６０を備えたレンジフードにおいて、
前記幕板６０の背面に、複数の孔３１を設けたあなあき板３２の背後に空気層３３をおいた共鳴器型吸音構造の吸音機構３０を取付けたことを特徴とするレンジフード。
【請求項４】
フード体３と送風機４と排気ダクト４４を備えたレンジフードにおいて、
前記送風機４のケーシング４０の内面に、複数の孔３１を設けたあなあき板３２の背後に空気層３３をおいた共鳴器型吸音構造の吸音機構３０を取付けたことを特徴とするレンジフード。
【請求項５】
フード体３と送風機４と排気ダクト４４とダクトカバー７０を備えたレンジフードにおいて、
前記ダクトカバー７０の内面に、複数の孔３１を設けたあなあき板３２の背後に空気層３３をおいた共鳴器型吸音構造の吸音機構３０を取付けたことを特徴とするレンジフード。
【請求項６】
請求項２に記載の整流板。
【請求項７】
請求項３に記載の幕板。
【請求項８】
請求項４に記載の送風機。
【請求項９】
請求項５に記載のダクトカバー。
【発明の詳細な説明】
【技術分野】
【０００１】
本発明は、調理時に発生する煙り、湯気、臭気等を捕集して屋外に排出するレンジフードに関する。
【背景技術】
【０００２】
従来から種々のレンジフードが知られている。
例えば、特許文献１に開示されたように、フード体と送風機と排気ダクトを備え、その送風機を駆動することで、調理時に発生する煙、湯気、臭気等を含む空気をフード体内に捕集し、その空気を排気ダクトで屋外に排出するレンジフードが知られている。
【先行技術文献】
【特許文献】
【０００３】
【特許文献１】特開２００５−９８６１８号公報
【発明の概要】
【発明が解決しようとする課題】
【０００４】
前述した従来のレンジフードは、空気を効率良く捕集することについては十分に検討されているが、レンジフードを稼動することで発生する騒音については十分に検討されていない。
一方、近年のオープンキッチン等の普及により、稼動時に発生する騒音が問題となり、稼動時に発生する騒音が少なく静寂性に優れたレンジフードが望まれている。
【０００５】
本発明の目的は、稼動時に発生する騒音が少なく、静寂性に優れたレンジフードとすることである。
【課題を解決するための手段】
【０００６】
本発明は、フード体３と送風機４と排気ダクト４４を備えたレンジフードにおいて、
前記フード体３の内面に、複数の孔３１を設けたあなあき板３２の背後に空気層３３をおいた共鳴器型吸音構造の吸音機構３０を取付けたことを特徴とするレンジフードである。
【０００７】
本発明は、整流板１６を有したフード体３と送風機４と排気ダクト４４を備えたレンジフードにおいて、
前記整流板１６の内面に、複数の孔３１を設けたあなあき板３２の背後に空気層３３をおいた共鳴器型吸音構造の吸音機構３０を取付けたことを特徴とするレンジフードとすることもできる。
【０００８】
本発明は、フード体３と送風機４と排気ダクト４４と幕板６０を備えたレンジフードにおいて、
前記幕板６０の背面に、複数の孔３１を設けたあなあき板３２の背後に空気層３３をおいた共鳴器型吸音構造の吸音機構３０を取付けたことを特徴とするレンジフードとすることもできる。
【０００９】
本発明は、フード体３と送風機４と排気ダクト４４を備えたレンジフードにおいて、
前記送風機４のケーシング４０の内面に、複数の孔３１を設けたあなあき板３２の背後に空気層３３をおいた共鳴器型吸音構造の吸音機構３０を取付けたことを特徴とするレンジフードとすることもできる。
【００１０】
本発明は、フード体３と送風機４と排気ダクト４４とダクトカバー７０を備えたレンジフードにおいて、
前記ダクトカバー７０の内面に、複数の孔３１を設けたあなあき板３２の背後に空気層３３をおいた共鳴器型吸音構造の吸音機構３０を取付けたことを特徴とするレンジフードとすることもできる。
【発明の効果】
【００１１】
本発明のレンジフードによれば、送風機４を駆動してフード体３内に空気を吸い込み、排気ダクト４４を通して屋外に排出する稼動時に発生する音は、フード体３の内周又は整流板１６の内面又は幕板６０の背面又は送風機４のケーシング４０の内面又はダクトカバー７０の内面に取付けた吸音機構３０で吸音されるので、レンジフードの周囲に伝わる音が低減する。
したがって、稼動時に発生する騒音が少なく、静寂性に優れたレンジフードとすることができる。
【図面の簡単な説明】
【００１２】
【図１】本発明の第１の実施の形態を示すレンジフードの正面図である。
【図２】本発明の第１の実施の形態を示すレンジフードの側面図である。
【図３】図１のＡ−Ａ拡大断面図である。
【図４】あなあき板の正面図である。
【図５】送風機ボックスの周面板の前面部における一部分に吸音機構を設けた実施の形態の断面図である。
【図６】フード体を一体タイプとした実施の形態の断面図である。
【図７】本発明の第２の実施の形態を示すレンジフードの断面図である。
【図８】吸音機構を取付けた整流板の斜視図である。
【図９】本発明の第３の実施の形態を示すレンジフードの断面図である。
【図１０】本発明の第４の実施の形態を示す送風機の正面図である。
【図１１】図１０のＢ−Ｂ断面図である。
【図１２】送風機の異なる実施の形態を示す正面図である。
【図１３】図１２のＣ−Ｃ断面図である。
【図１４】本発明の第５の実施の形態を示すレンジフードの平面図である。
【図１５】図１４のＤ−Ｄ断面図である。
【発明を実施するための形態】
【００１３】
図１〜図３に示すように、フード１と送風機ボックス２でフード体３としてある。
前記フード１は、上面板１０と外周面板１１と下面板１２と内周面板１３で下面に開口した凹陥部１４と、この凹陥部１４を上面に連通する開口部１５を有し、その上下寸法が前後寸法、左右寸法よりも小さな薄型の箱状体である。
前記フード１の凹陥部１４内に整流板１６が取付けてあり、この整流板１６の外周面と凹陥部１４（内周面板１３）との間の隙間を空気が流通する。
前記フード１の開口部１５にはフィルター１７が取り付けてある。
前記送風機ボックス２は、上面板２０と周面板２１と下面板２２で箱形状で、その下面板２２に空気取入口２３が形成されている。
前記下面板２２をフード１の上面板１０に載置すると共に、空気取入口２３を開口部１５と連通してフード１と送風機ボックス２が連結されている。
【００１４】
前記送風ボックス２内に送風機４が取付けてある。
この送風機４は、ケーシング４０内にファン４１を設け、そのファン４１を図示しないモータで回転することで、吸込口４２から空気を吸い込み、吐出口４３から吐出するものである。
前記吸込口４２が送風機ボックス２内に開口し、吐出口４３に排気ダクト４４が接続してある。
【００１５】
前述したレンジフードであれば、送風機４のファン４１を回転してレンジフードを稼動することで、調理時に発生した煙り、湯気、臭気等を含む空気がフード１内に吸い込まれ、その空気がフィルター１７を通して送風機ボックス２内に流れ、吸込口４２から吐出口４３に吐出され、排気ダクト４４で屋外に排気される。
前述のようにレンジフードを稼動することにより騒音が発生する。
例えば、送風機４のモータ、ファン４１の回転音、フィルター１７を空気が通過する際の風切り音、排気ダクト４４を空気が流通する音等が発生し、その音がレンジフードの周囲に伝わり騒音となる。
【００１６】
そこで、本発明は前述の発生した音を吸収する吸音機構３０を設け、レンジフードの周囲に伝わる騒音を低減して静寂性を高めたレンジフードとした。
前記吸音機構３０は、複数の孔３１を設けたあなあき板３２の背後に空気層３３をおいたヘルムホルツ共鳴器が並んだような共鳴器型吸音構造で、その複数の孔３１と空気層３３等により決定される共鳴周波数と同じ周波数の音があなあき板３２にあたると孔３１と空気層３３でヘルムホルツ共鳴を発生させて、吸音作用する。
【００１７】
図３に示す実施の形態では、あなあき板３２を送風機ボックス２の周面板２１における前面部２１ａの内面と間隔を置いて対向して設け、そのあなあき板３２と前面部２１ａの内面との間に空気層３３を形成している。
このようにすれば、あなあき板３２のみで吸音機構３０とすることができるので、部品点数が少なくコスト安にできる。
【００１８】
例えば、あなあき板３２の背面外周縁に突片３２ａを、その背面から突出して設ける。この突片３２ａは鉤形状としてあるが、それに限ることはなく、直線形状でも良い。
前記突片３２ａを前述した前面部２１ａの内面に接してあなあき板３２を取付けることで、その前面部２１ａの内面とあなあき板３２とで、当該あなあき板３２の背後に空気層３３が形成される。
【００１９】
このようにすれば、あなあき板３２を、その突片３２ａが前面部２１ａの内面に接するように取付ければ良いので、そのあなあき板３２を取付ける作業が容易である。
【００２０】
前記吸音機構３０は前述のものに限ることはなく、あなあき板３２の背後に間隔を置いて背面板を設け、この背面板とあなあき板３２との間に空気層３３を有したものとしても良い。
【００２１】
図３に示す吸音機構３０は、あなあき板３２の背後にグラスウール、ロックウールなどの繊維状吸音部材（多孔質材料）３４を設け、吸音率を大きくしてある。
前述の突片３２ａを鉤形状としたのは、この繊維状吸音部材３４をあなあき板３２の背後に取付けるためである。
【００２２】
本発明の吸音機構３０の共鳴周波数ｆ０は下記の式で表される。
【００２３】
【数１】
2012159286.tif 000003
【００２４】
例として、材料の板厚を０．６［ｍｍ］、孔の直径Φを２［ｍｍ］、孔を設ける間隔を１［ｃｍ］、空気層の厚さを１０［ｃｍ］、音速を３４０［ｍ／ｓ］として計算すると、共鳴周波数ｆ０は
ｆ０＝６４６［Ｈｚ］
となる。
また、孔の直径Φを４［ｍｍ］、（その他の条件は同様な値）とした場合は、
ｆ０＝９８４［Ｈｚ］
となる。
また、孔の直径Φを４［ｍｍ］、孔を設ける間隔を３［ｃｍ］とすると（その他の条件は上記と同様）
ｆ０＝３２８［Ｈｚ］
となる。
【００２５】
このように、本発明の吸音機構３０においては、孔の直径や孔を設ける間隔、空気層の厚みを任意に設定することで吸音したい周波数帯域を設定することができる。
【００２６】
また、材料の板厚、孔を設ける間隔、空気層の厚さを一定とし、吸音したい音の周波数に応じて孔の半径ｒを設定することもできる。
例えば材料の板厚を０．６［ｍｍ］、孔を設ける間隔を縦横それぞれ１［ｃｍ］、空気層の厚みを３［ｃｍ］とした場合に、１５００［Ｈｚ］の音を吸音したい場合には、孔の半径ｒは２．７７［ｍｍ］とすれば良い。
【００２７】
前述したように、あなあき板３２の孔３１の径が異なることで吸音できる音の周波数が異なるので、１つのあなあき板３２に径の異なる孔を混在させることで吸音する周波数に幅を設けることが可能である。
【００２８】
この実施の形態のあなあき板３２は図４に示すように、外周寄り部に径の大きな孔３１ａを形成し、内周寄り部には径の小さな孔３１ｂを形成し、中間部には径が中間の大きさの孔３１ｃを形成している。
このようにすることで、吸音する周波数に幅を設けることができる。
【００２９】
次に、あなあき板３２の取付けを具体的に説明する。
前述のように、あなあき板３２を送風機ボックス２０の内面に取付けると、そのあなあき板３２が煙り等で汚れ、その孔３１が閉塞されて吸音作用が低下する恐れがある。
そこで、あなあき板３２を送風機ボックス２０の外部に取り出し可能に取り付け、あなあき板３２を送風機ボックス２０内から取り出し、清掃できるようにしてある。
【００３０】
例えば、送風機ボックス２の上面板２０の内面に上レール２４を設け、下面板２２の内面に下レール２５を設け、あなあき板３２を繊維状吸音部材３４とともに上・下レール２４，２５に沿ってスライド自在に支承する。
前記周面板２１の左右一方の側面部２１ｂに開口部２６を前記上・下レール２４，２５と対向して形成し、その開口部２６からあなあき板３２を挿入、抜き出し自在とする。
前記あなあき板３２に指掛け部３２ｂを設け、この指掛け部３２ｂが開口部２６から突出するようにする。
このようにすれば、あなあき板３２を送風機ボックス２の内部に挿入して取り付けたり、抜き出して取り外しできる。
【００３１】
前述の実施の形態では、送風機ボックス２の周面板２１の前面部２１ａの全面に吸音機構３０を取付けしたが、一部分にのみ吸音機構３０を取付けしても良い。
この場合には、前述の前面部２１ａにおける吸音機構３０を取付ける部分を別体とし、他の部分に着脱自在に取付けることで、吸音機構３０を送風機ボックス２内から取り出しできる。
【００３２】
例えば、図５に示すように周面板２１の前面部２１ａに取付用開口部２７を形成し、この取付用開口部２７を閉塞する取付用板２８を前面部２１ａの残りの部分にビス２９で固着して取付けて前面部２１ａとする。
前記取付用板２８にあなあき板３２を取付けて吸音機構３０とする。
【００３３】
このようにすれば、ビス２９を弛めることで取付用板２８を取り外すことであなあき板３２を送風機ボックス２内から取り出しできる。
また、ビス２９を締め付けて取付用板２８を取付けすれば、あなあき板３２が取付用開口部２７から内部に突出し、あなあき板３２を送風機ボックス２内に取付けできる。
【００３４】
前述の各実施の形態では送風機ボックス２の周面板２１における前面部２１ａに吸音機構３０を設けたので、そのあなあき板３２は送風機４の吸込口４２と対向するので、送風機４から発生する音があなあき板３２に効率良く当るから、その音をより一層吸収して低減できる。
【００３５】
前記吸音機構３０は前述した箇所以外に取付けることができる。
例えば、送風機ボックス２の周面板２１の側面部２１ｂの内面、上面板２０の内面、下面板２２の内面、フード体１の内周面１３の内面のいずれかに取付けることができる。
また、前述した各内面の全て、又は複数の内面に取付けることができる。
この場合には、各内面の全面に亘って取付けることができるし、一部分にのみ取付けることができる。
【００３６】
前述の各実施の形態では、フード１の上面に送風機ボックス２を取付けてフード体３としたが、フード体３をフードと送風機ボックスが一体となった形状としても良い。
例えば、図６に示すようにフード体３を、上面板５０と前面板５１と後面板５２と左右の側面板５３で下面が開口した縦長の箱形状で、その内部を仕切板５４とフィルター１７で吸込側室５５と吐出側室５６に区画された形状とする。
送風機４を吐出側室５６に設けて吐出口４３部分を上面板５０から上方に突出することでレンジフードとする。
【００３７】
このレンジフードの場合には、吸音機構３０を上面板５０の内面、前面板５１の内面、側面板５３の内面のいずれか、又は複数、全てに取付ける。
このようにした場合には、フード体３の下部開口が大きく、そのフード体３の下部開口から吸音機構３０をフード体３内に挿入したり、取り出しできるので、その吸音機構３０のあなあき板３２をフード体３の内面に磁石３５で吸着して取付けることにより、その吸音機構３０をフード体３内に取付けしたり、フード体３内から取り出しできる。
【００３８】
また、前述した各実施の形態の吸音機構３０のあなあき板３２は矩形状であるが、円形状でも良いし、三角状、台形状、多角形状など任意の形状とすることができる。
【００３９】
要するに、前述した各実施の形態で示した発明は、吸音機構３０をフード体３の内面に取付けたレンジフードである。
【００４０】
次に、本発明の第２の実施の形態を説明する。
図７に示すように、フード１と送風機ボックス２でフード体３とし、そのフード１に整流板１６とフィルター１７が設けられていると共に、送風機ボックス２内に送風機４が設けてある。
すなわち、フード体３の形状は前述した図２、図５に示す実施の形態と同一である。
前記整流板１６の内面に吸音機構３０が取付けてある。この吸音機構３０はあなあき板３２の背後に空気層３３においた構造である。
この実施の形態では、あなあき板３２と整流板１６で空気層３３を形成している。
また、繊維状吸音部材３４が設けてある。
【００４１】
このようにすれば、あなあき板３２がフィルター１７と対向するから、空気がフィルター１７を貫通する際に発生する音があなあき板３２に効率良く当り、その音をより一層低減できる。
【００４２】
前記整流板１６は図８に示すように、表面板１６ａの周縁に立上り片１６ｂを四周連続して有した、ほぼ皿形状である。
前記整流板１６の立上り片１６ｂの前部にフック１６ｃ、後部寄りには引掛片１６ｄが設けてあり、そのフック１６ｃをフード１の内周面板１３に係止すると共に、引掛片１６ｄを前記内周面板１３に引掛けて取付ける。
前記あなあけ板３２の両端縁には突片、例えばコ字状片３２ｂが一体的に設けてあり、そのコ字状片３２ｂを整流板１６の表面板１６ａの内面に接し、かつ立上り片１６ｄに係止するように取付けてある。
【００４３】
次に、本発明の第３の実施の形態を説明する。
この実施の形態は図９に示すように、幕板６０を備えたレンジフードである。
前記幕板６０はフード１の前面寄りに設けられて送風機ボックス２、排気ダクト４４が室内から見えないようにするものである。
この幕板６０の背面に吸音機構３０を前述した整流板１６への取付けと同様に取付ける。
このようにすれば、主として排気ダクト４４から発生する音が吸音機構３０のあなあき板３２に当るので、その音を吸収して低減できる。
この実施の形態の幕板６０は、前述した図６に示すフード体３の上面に取付けることができる。
【００４４】
次に、本発明の第４の実施の形態を説明する。
この実施の形態は前述した各実施の形態に示した送風機４に吸音機構３０を設けたレンジフードである。
例えば、図１０と図１１に示すように、送風機４のケーシング４０における対向した第１側面板４５と第２側面板４６の内面にあなあき板３２を前述した各実施の形態のように設け、その背後に空気層３３を形成すると共に、繊維状吸音部材３４を設けて吸音機構３０とする。
前記第１側面板４５と第２側面板４６とに亘ってほぼ円弧状の周面板４７が設けられてケーシング４０を構成し、その第１側面板４５に吸込口４２が形成され、第１・第２側面板４５，４６と周面板４７で吐出口４３を形成している。
ファン４１はシロッコファンである。
【００４５】
また、図１２と図１３に示すように、ケーシング４０の周面板４７の内面にあなあき板３２を前述した各実施の形態のように設け、その背後に空気層３３を形成すると共に、繊維状吸音部材３４を設けて吸音機構３０とする。
なお、第１・第２側面板４５，４６の内面と周面板４７の内面に吸音機構３０をそれぞれ設けても良い。
【００４６】
次に、本発明の第５の実施の形態を説明する。
図１４と図１５に示すように、ダクトカバー７０の内面に吸音機構３０を取付けてある。
前記ダクトカバー７０は前面板７１と左右の側面板７２で平面コ字形状で、フード１の上面板１０に送風機ボックス２と排気ダクト４４を覆うように取付けてある。
前記前面板７１の内面に、前述したあなあき板３２を有した吸音機構３０が取付けてある。
【００４７】
前記吸音機構３０は側面板７２の内面に取付けても良い。
また、ダクトカバー７０は平面矩形状であっても良い。
【００４８】
前述の第１の実施の形態では、フード体３の内面に吸音機構３０を設け、第２の実施の形態では整流板１６の内面に吸音機構３０を設け、第３の実施の形態では幕板６０の背面に吸音機構３０を設け、第４の実施の形態では送風機４のケーシング４０の内面に吸音機構３０を設け、第５の実施の形態ではダクトカバー７０の内面に吸音機構３０を設けたが、第１〜第５の実施の形態の複数又は全てを組み合わせても良い。
【００４９】
また、各実施の形態では繊維状吸音部材３４を設けたが、設けなくとも良い。
【符号の説明】
【００５０】
１…フード、２…送風機ボックス、３フード体、４…送風機、１６…整流板、１７…フィルター、３０…吸音機構、３１…孔、３２…あなあき板、３３…空気層、３４…繊維状吸音部材、４０…ケーシング、４５…第１側面板、４６…第２側面板、４７…周面板、６０…幕板、７０…ダクトカバー。
【図１】
2012159286.tif 000004
【図２】
2012159286.tif 000005
【図３】
2012159286.tif 000006
【図４】
2012159286.tif 000007
【図５】
2012159286.tif 000008
【図６】
2012159286.tif 000009
【図７】
2012159286.tif 000010
【図８】
2012159286.tif 000011
【図９】
2012159286.tif 000012
【図１０】
2012159286.tif 000013
【図１１】
2012159286.tif 000014
【図１２】
2012159286.tif 000015
【図１３】
2012159286.tif 000016
【図１４】
2012159286.tif 000017
【図１５】
2012159286.tif 000018
【手続補正書】
【提出日】平成24年5月11日(2012.5.11)
【手続補正１】
【補正対象書類名】明細書
【補正対象項目名】０００６
【補正方法】変更
【補正の内容】
【０００６】
本発明は、フード体３と、このフード体３内に設けた送風機４と、この送風機４の吐出口４３と連通した排気ダクト４４と、前記フード体３の上部に取り付けられる幕板６０を備えたレンジフードにおいて、
この幕板６０の背面に、複数の孔３１を設けたあなあき板３２を、当該あなあき板３２の背面と幕板６０の背面との間に空気層３３を形成するように取り付けることで、共鳴器型吸音構造の吸音機構３０としたことを特徴とするレンジフードである。
【手続補正２】
【補正対象書類名】明細書
【補正対象項目名】０００７
【補正方法】変更
【補正の内容】
【０００７】
本発明においては、前記あなあき板３２の背面に繊維状吸音部材３４を設けることができる。
このようにすれば、吸音率を大きくできる。
【手続補正３】
【補正対象書類名】明細書
【補正対象項目名】０００８
【補正方法】変更
【補正の内容】
【０００８】
本発明においては、前記あなあき板３２は、径の大きさの異なる孔３１ａ，３１ｂを有したものにできる。
このようにすれば、吸音する周波数に幅を設けることができる。
【手続補正４】
【補正対象書類名】明細書
【補正対象項目名】０００９
【補正方法】削除
【補正の内容】
【手続補正５】
【補正対象書類名】明細書
【補正対象項目名】００１０
【補正方法】削除
【補正の内容】
【手続補正６】
【補正対象書類名】明細書
【補正対象項目名】００１１
【補正方法】変更
【補正の内容】
【００１１】
本発明のレンジフードによれば、送風機４を駆動してフード体３内に空気を吸い込み、排気ダクト４４を通して屋外に排出する稼動時に発生する音は、幕板６０の背面に取付けた吸音機構３０で吸音されるので、レンジフードの周囲に伝わる音が低減する。
したがって、稼動時に発生する騒音が少なく、静寂性に優れたレンジフードとすることができる。
【手続補正７】
【補正対象書類名】明細書
【補正対象項目名】００１２
【補正方法】変更
【補正の内容】
【００１２】
【図１】本発明の参考例を示すレンジフードの正面図である。
【図２】本発明の参考例を示すレンジフードの側面図である。
【図３】図１のＡ−Ａ拡大断面図である。
【図４】あなあき板の正面図である。
【図５】送風機ボックスの周面板の前面部における一部分に吸音機構を設けた参考例の断面図である。
【図６】フード体を一体タイプとした参考例の断面図である。
【図７】本発明の実施の形態を示すレンジフードの断面図である。
【手続補正８】
【補正対象書類名】明細書
【補正対象項目名】００１３
【補正方法】変更
【補正の内容】
【００１３】
本発明の参考例を説明する。
図１〜図３に示すように、フード１と送風機ボックス２でフード体３としてある。
前記フード１は、上面板１０と外周面板１１と下面板１２と内周面板１３で下面に開口した凹陥部１４と、この凹陥部１４を上面に連通する開口部１５を有し、その上下寸法が前後寸法、左右寸法よりも小さな薄型の箱状体である。
前記フード１の凹陥部１４内に整流板１６が取付けてあり、この整流板１６の外周面と凹陥部１４（内周面板１３）との間の隙間を空気が流通する。
前記フード１の開口部１５にはフィルター１７が取り付けてある。
前記送風機ボックス２は、上面板２０と周面板２１と下面板２２で箱形状で、その下面板２２に空気取入口２３が形成されている。
前記下面板２２をフード１の上面板１０に載置すると共に、空気取入口２３を開口部１５と連通してフード１と送風機ボックス２が連結されている。
【手続補正９】
【補正対象書類名】明細書
【補正対象項目名】００１７
【補正方法】変更
【補正の内容】
【００１７】
図３に示す参考例では、あなあき板３２を送風機ボックス２の周面板２１における前面部２１ａの内面と間隔を置いて対向して設け、そのあなあき板３２と前面部２１ａの内面との間に空気層３３を形成している。
このようにすれば、あなあき板３２のみで吸音機構３０とすることができるので、部品点数が少なくコスト安にできる。
【手続補正１０】
【補正対象書類名】明細書
【補正対象項目名】００２８
【補正方法】変更
【補正の内容】
【００２８】
この参考例のあなあき板３２は図４に示すように、外周寄り部に径の大きな孔３１ａを形成し、内周寄り部には径の小さな孔３１ｂを形成し、中間部には径が中間の大きさの孔３１ｃを形成している。
このようにすることで、吸音する周波数に幅を設けることができる。
【手続補正１１】
【補正対象書類名】明細書
【補正対象項目名】００３１
【補正方法】変更
【補正の内容】
【００３１】
前述の参考例では、送風機ボックス２の周面板２１の前面部２１ａの全面に吸音機構３０を取付けしたが、一部分にのみ吸音機構３０を取付けしても良い。
この場合には、前述の前面部２１ａにおける吸音機構３０を取付ける部分を別体とし、他の部分に着脱自在に取付けることで、吸音機構３０を送風機ボックス２内から取り出しできる。
【手続補正１２】
【補正対象書類名】明細書
【補正対象項目名】００３４
【補正方法】変更
【補正の内容】
【００３４】
前述の各参考例では送風機ボックス２の周面板２１における前面部２１ａに吸音機構３０を設けたので、そのあなあき板３２は送風機４の吸込口４２と対向するので、送風機４から発生する音があなあき板３２に効率良く当るから、その音をより一層吸収して低減できる。
【手続補正１３】
【補正対象書類名】明細書
【補正対象項目名】００３６
【補正方法】変更
【補正の内容】
【００３６】
前述の各参考例では、フード１の上面に送風機ボックス２を取付けてフード体３としたが、フード体３をフードと送風機ボックスが一体となった形状としても良い。
例えば、図６に示すようにフード体３を、上面板５０と前面板５１と後面板５２と左右の側面板５３で下面が開口した縦長の箱形状で、その内部を仕切板５４とフィルター１７で吸込側室５５と吐出側室５６に区画された形状とする。
送風機４を吐出側室５６に設けて吐出口４３部分を上面板５０から上方に突出することでレンジフードとする。
【手続補正１４】
【補正対象書類名】明細書
【補正対象項目名】００３８
【補正方法】変更
【補正の内容】
【００３８】
また、前述した各参考例の吸音機構３０のあなあき板３２は矩形状であるが、円形状でも良いし、三角状、台形状、多角形状など任意の形状とすることができる。
【手続補正１５】
【補正対象書類名】明細書
【補正対象項目名】００３９
【補正方法】変更
【補正の内容】
【００３９】
要するに、前述した各参考例で示した発明は、吸音機構３０をフード体３の内面に取付けたレンジフードである。
【手続補正１６】
【補正対象書類名】明細書
【補正対象項目名】００４０
【補正方法】削除
【補正の内容】
【手続補正１７】
【補正対象書類名】明細書
【補正対象項目名】００４１
【補正方法】削除
【補正の内容】
【手続補正１８】
【補正対象書類名】明細書
【補正対象項目名】００４２
【補正方法】削除
【補正の内容】
【手続補正１９】
【補正対象書類名】明細書
【補正対象項目名】００４３
【補正方法】変更
【補正の内容】
【００４３】
次に、本発明の実施の形態を説明する。
この実施の形態は図７に示すように、幕板６０を備えたレンジフードである。
前記幕板６０はフード１の前面寄りに設けられて送風機ボックス２、排気ダクト４４が室内から見えないようにするものである。
この幕板６０の背面に吸音機構３０を前述した整流板１６への取付けと同様に取付ける。
このようにすれば、主として排気ダクト４４から発生する音が吸音機構３０のあなあき板３２に当るので、その音を吸収して低減できる。
この実施の形態の幕板６０は、前述した図６に示すフード体３の上面に取付けることができる。
【手続補正２０】
【補正対象書類名】明細書
【補正対象項目名】００４４
【補正方法】削除
【補正の内容】
【手続補正２１】
【補正対象書類名】明細書
【補正対象項目名】００４５
【補正方法】削除
【補正の内容】
【手続補正２２】
【補正対象書類名】明細書
【補正対象項目名】００４６
【補正方法】削除
【補正の内容】
【手続補正２３】
【補正対象書類名】明細書
【補正対象項目名】００４７
【補正方法】削除
【補正の内容】
【手続補正２４】
【補正対象書類名】明細書
【補正対象項目名】００４８
【補正方法】削除
【補正の内容】
【手続補正２５】
【補正対象書類名】明細書
【補正対象項目名】００５０
【補正方法】変更
【補正の内容】
【００５０】
１…フード、２…送風機ボックス、３フード体、４…送風機、１６…整流板、１７…フィルター、３０…吸音機構、３１…孔、３２…あなあき板、３３…空気層、３４…繊維状吸音部材、６０…幕板。
【手続補正２６】
【補正対象書類名】特許請求の範囲
【補正対象項目名】全文
【補正方法】変更
【補正の内容】
【特許請求の範囲】
【請求項１】
フード体３と、このフード体３内に設けた送風機４と、この送風機４の吐出口４３と連通した排気ダクト４４と、前記フード体３の上部に取り付けられる幕板６０を備えたレンジフードにおいて、
この幕板６０の背面に、複数の孔３１を設けたあなあき板３２を、当該あなあき板３２の背面と幕板６０の背面との間に空気層３３を形成するように取り付けることで、共鳴器型吸音構造の吸音機構３０としたことを特徴とするレンジフード。
【請求項２】
前記あなあき板３２の背面に繊維状吸音部材３４を設けた請求項２記載のレンジフード。
【請求項３】
前記あなあき板３２は、径の大きさの異なる孔３１ａ，３１ｂを有している請求項３記載のレンジフード。
【請求項４】
請求項１〜４項いずれか１項に記載の幕板。
【手続補正２７】
【補正対象書類名】図面
【補正対象項目名】図７
【補正方法】変更
【補正の内容】
【図７】
2012159286.tif 000019
【手続補正２８】
【補正対象書類名】図面
【補正対象項目名】図８
【補正方法】削除
【補正の内容】
【手続補正２９】
【補正対象書類名】図面
【補正対象項目名】図９
【補正方法】削除
【補正の内容】
【手続補正３０】
【補正対象書類名】図面
【補正対象項目名】図１０
【補正方法】削除
【補正の内容】
【手続補正３１】
【補正対象書類名】図面
【補正対象項目名】図１１
【補正方法】削除
【補正の内容】
【手続補正３２】
【補正対象書類名】図面
【補正対象項目名】図１２
【補正方法】削除
【補正の内容】
【手続補正３３】
【補正対象書類名】図面
【補正対象項目名】図１３
【補正方法】削除
【補正の内容】
【手続補正３４】
【補正対象書類名】図面
【補正対象項目名】図１４
【補正方法】削除
【補正の内容】
【手続補正３５】
【補正対象書類名】図面
【補正対象項目名】図１５
【補正方法】削除
【補正の内容】